(57)【要約】【課題】泡立ち及び水切りの良好な身体洗浄具を提供する。【解決手段】身体洗浄具１は、石鹸５０を出し入れ可能な開口１２ａが一軸方向の一側に形成された胴部１２とこの胴部の一軸方向の他側に設けられた底部１４とを含み、胴部及び底部のそれぞれに複数の孔が形成されている、袋体１０、及び胴部の周囲を覆う複数の網目を有する網体２０を備える。袋体の胴部の周囲が複数の網目を有する網体で覆われていることで、開口を介して石鹸を袋体に収容し、適量の水を含んで身体洗浄具を使用すると、その水に溶解した石鹸の溶液が複数の孔を介して袋体から出て網体に含まれ、複数の網目を介して網体内に空気が含まれることにより良好な泡立ちが得られるとともに、袋体の底部が網体に覆われていないことで、袋体内に入った水が底部を介して排出されることにより良好な水切れが得られる。【選択図】図２
0003199634.tif 000002
【実用新案登録請求の範囲】
【請求項１】
身体を洗浄する身体洗浄具であって、
石鹸を出し入れ可能な開口が一軸方向の一側に形成された胴部と該胴部の前記一軸方向の他側に設けられた底部とを含み、前記胴部及び前記底部のそれぞれに複数の孔が形成されている、袋体と、
前記胴部の周囲を覆う複数の網目を有する網体と、
を備えることを特徴とする、身体洗浄具。
【請求項２】
前記網体は、複数の網目を有するシート状の部材を複数重ねて形成されることを特徴とする、請求項１に記載の身体洗浄具。
【請求項３】
前記網体の複数の網目のそれぞれは、１〜５ｍｍの大きさを有することを特徴とする、請求項１又は２に記載の身体洗浄具。
【請求項４】
前記網体は、前記一軸方向に対する周方向に延びる前記網体の部分体を前記一軸方向に並設することで前記胴部の周囲に形成されることを特徴とする、請求項１から３のいずれか一項に記載の身体洗浄具。
【請求項５】
前記袋体の前記開口を塞ぐ紐部材をさらに備えることを特徴とする、請求項１から４のいずれか一項に記載の身体洗浄具。
【考案の詳細な説明】
【技術分野】
【０００１】
本考案は、身体を洗浄する身体洗浄具に関する。
【背景技術】
【０００２】
石鹸液に空気を含めて泡立てることにより洗浄効果が高まることから、身体を洗浄する液体石鹸が広く普及している。それに対して、固形石鹸（以下、単に石鹸とも呼ぶ）は、水に溶解して石鹸液を生成する必要がある。そこで、固形石鹸を用いて、効率良く石鹸液を生成し、良好に泡立てることのできる身体洗浄具が求められている。また、使用して小さくなった固形石鹸を新しい固形石鹸と共に収容できる身体洗浄具が求められている。
【０００３】
例えば、特許文献１から３には、石鹸を容置する空間を有するシャワースポンジが開示されている。空間内に石鹸を入れ、スポンジ本体に水を含んで身体を洗浄することで、洗浄すると同時に泡沫が生成される。スポンジ本体が水を吸収しやすいことで良好な泡立ちが得られるが、逆に、含まれた水が排出され難い、すなわち水切れが悪いという問題がある。
【先行技術文献】
【特許文献】
【０００４】
【特許文献１】実用新案登録第３１４３９１９号公報
【特許文献２】実用新案登録第３１１６７６４号公報
【特許文献３】特開２００８−１５４７３２号公報
【考案の概要】
【考案が解決しようとする課題】
【０００５】
本考案は、泡立ち及び水切りの良好な身体洗浄具を提供することを課題とする。
【課題を解決するための手段】
【０００６】
本考案の身体洗浄具は、身体を洗浄する身体洗浄具であって、石鹸を出し入れ可能な開口が一軸方向の一側に形成された胴部とこの胴部の一軸方向の他側に設けられた底部とを含み、胴部及び底部のそれぞれに複数の孔が形成されている、袋体と、胴部の周囲を覆う複数の網目を有する網体と、を備えることを特徴とする。
【０００７】
これによれば、袋体の胴部の周囲が複数の網目を有する網体で覆われていることで、開口を介して石鹸を袋体に収容し、適量の水を含んで身体洗浄具を使用すると、その水に溶解した石鹸の溶液が複数の孔を介して袋体から出て網体に含まれ、複数の網目を介して網体内に空気が含まれることにより良好な泡立ちが得られるとともに、袋体の底部が網体に覆われていないことで、袋体内に入った水が底部を介して排出されることにより良好な水切れが得られる。
【０００８】
本考案の身体洗浄具は、網体は、複数の網目を有するシート状の部材を複数重ねて形成されることを特徴とする。
【０００９】
これによれば、複数の網目を有するシート状の部材を複数重ねて網体を形成することで、良好な通気性が得られる。
【００１０】
本考案の身体洗浄具は、網体の複数の網目のそれぞれは、１〜５ｍｍの大きさを有することを特徴とする。
【００１１】
これによれば、複数の網目のそれぞれが１〜５ｍｍの大きさを有することで、良好な通気性が得られる。
【００１２】
本考案の身体洗浄具は、網体は、一軸方向に対する周方向に延びる網体の部分体を一軸方向に並設することで胴部の周囲に形成されることを特徴とする。
【００１３】
これによれば、網体により袋体の底部を覆うことなく、胴部の周囲を密に覆うことができる。
【００１４】
本考案の身体洗浄具は、袋体の開口を塞ぐ紐部材をさらに備えることを特徴とする。
【００１５】
これによれば、紐部材により、石鹸を袋体に収容した後、開口を塞いで身体洗浄具を使用することができるとともに、紐部材により、袋体の底部を下方に向けて身体洗浄具を吊るして、袋体内の水を落とすことができる。
【考案の効果】
【００１６】
本考案の身体洗浄具によれば、使用する際には適量の水を含んで良好に泡立て、使用後はその水を素早く切ることが可能となる。
【図面の簡単な説明】
【００１７】
【図１】図１は、身体洗浄具の全体構成を示す図である。
【図２】図２は、身体洗浄具の構成を示す断面図である。
【考案を実施するための形態】
【００１８】
以下、本考案の一実施形態について説明する。
【００１９】
図１及び図２に、それぞれ、本実施形態に係る身体洗浄具１の全体構成及び（石鹸５０を袋体１０に収容した状態における）断面構成を示す。身体洗浄具１は、浴室等で石鹸を用いて効率良く身体を洗浄するための道具であり、袋体１０、網体２０、及び紐３０を含んで構成される。
【００２０】
袋体１０は、石鹸５０を収容する袋状の部材であり、例えば、樹脂等から構成される繊維、布、スポンジ等の複数の孔を有する素材を用いて成形される。なお、複数の孔のそれぞれの大きさ及び数は、袋体１０から水が通って落ちる程度の大きさ及び数であるとする。袋体１０の大きさは、石鹸５０を少なくとも１つ入れるのに十分な大きさとする。
【００２１】
袋体１０は、胴部１２及び底部１４を含む。胴部１２の上端には、石鹸５０を出し入れ可能な開口１２ａが形成されている。また、胴部１２の上端には、その縁に沿って内部を貫く孔部１２ｂが形成されている。底部１４は、胴部１２の下側に一体的に形成されている。
【００２２】
網体２０は、身体を洗浄するための部材であり、本実施形態では４つの部分２２，２４，２６，２８を含み、それぞれが、例えば、樹脂等から構成される繊維、布等の複数の網目を有するシート状の部材を複数重ねて形成される。ここで、網体２０の複数の網目のそれぞれは、１〜５ｍｍの大きさを有する。それにより、良好な通気性が得られる。
【００２３】
４つの部分２２，２４，２６，２８は、それぞれ一端を袋体１０に対して外向きに広げ、他端を袋体１０に周方向（すなわち、図面上下方向に対する周方向）に縫合（図２において点線を用いて示す）して、袋体１０の周囲（図面上下方向）に並設されている。それにより、網体２０は、袋体１０の底部１４を覆うことなく、胴部１２の周囲を密に覆う。
【００２４】
紐３０は、袋体１０の開口１２ａを閉じるための部材であり、一例として、樹脂等から構成される繊維、布等を用いて成形される。紐３０は、孔部１２ｂに通し、両端を合わせて結ばれている。開口１２ａを介して石鹸５０を袋体１０に入れた後、袋体１０に対して紐３０を引くことで開口１２ａを塞ぎ、その状態で身体洗浄具１を使用することができる。また、紐３０により、袋体１０の底部１４を下方に向けて身体洗浄具１を吊るして、袋体１０内の水を落とすことができる。
【００２５】
以上詳細に説明したように、本実施形態の身体洗浄具１は、石鹸５０を出し入れ可能な開口１２ａが一軸方向の一側に形成された胴部１２とこの胴部１２の一軸方向の他側に設けられた底部１４とを含み、胴部１２及び底部１４のそれぞれに複数の孔が形成されている、袋体１０、及び胴部１２の周囲を覆う複数の網目を有する網体２０を備える。袋体１０の胴部１２の周囲が複数の網目を有する網体２０で覆われていることで、開口１２ａを介して石鹸５０を袋体１０に収容し、適量の水を含んで身体洗浄具１を使用すると、その水に溶解した石鹸５０の溶液が複数の孔を介して袋体１０から出て網体２０に含まれ、複数の網目を介して網体２０内に空気が含まれることにより良好な泡立ちが得られるとともに、袋体１０の底部１４が網体に覆われていないことで、袋体１０内に入った水が底部１４を介して排出されることにより良好な水切れが得られる。
【００２６】
また、本実施形態の身体洗浄具１は、袋体１０に入れた石鹸５０が使用して小さくなったら、なくなる前に次の石鹸５０を入れることで、石鹸を無駄なく使うことができる。
【００２７】
なお、本実施形態の身体洗浄具１では、網体２０を４つの部分２２，２４，２６，２８を含んで構成することとしたが、それらの数は４つに限らず、幾つでもよい。
【産業上の利用可能性】
【００２８】
本考案の身体洗浄具は、使用する際には適量の水を含んで泡立て、使用後はその水を素早く切るのに好適である。多くの個人による使用が期待される。
【符号の説明】
【００２９】
１    身体洗浄具
１０    袋体
１２ａ  開口
１２ｂ  孔部
１２    胴部
１４    底部
２０    網体
２２    部分
３０    紐
５０    石鹸
【図１】
0003199634.tif 000003
【図２】
0003199634.tif 000004